(57)【要約】【課題】  プリント配線板の曲がりが抑えられるＵＳＢコンセントを提供する。【解決手段】  ＵＳＢソケット１が実装される第１プリント配線板２と、ＵＳＢソケット１に接続されるＵＳＢプラグが挿通されるプラグ挿通穴３０を有して第１プリント配線板２を収納するハウジング３とを備える。ハウジング３には、ＵＳＢソケット１の近傍においてＵＳＢプラグが挿入される方向の反対方向（図での下方向）から第１プリント配線板２に当接する当接部５５が設けられている。当接部５５が設けられない場合に比べ、第１プリント配線板２の曲がりが抑えられる。【選択図】図１
2020113790.tif 000002
【特許請求の範囲】
【請求項１】
ＵＳＢソケットが実装される第１プリント配線板と、
前記第１プリント配線板の中央部に当接する当接部と、を備えるＵＳＢコンセント。
【請求項２】
ＵＳＢソケットが実装される第１プリント配線板と、
前記第１プリント配線板の前記ＵＳＢソケットが実装される面とは反対面側に配置され、挿通穴が設けられる第２プリント配線板と、
前記第１プリント配線板に当接する当接部と、を備え、
前記当接部は前記挿通穴に挿通される、ＵＳＢコンセント。
【請求項３】
前記第１プリント配線板の前記ＵＳＢソケットが実装される面とは反対面側に配置される第２プリント配線板をさらに備える、請求項１に記載のＵＳＢコンセント。
【請求項４】
前記当接部は、前記第１プリント配線板の前記ＵＳＢソケットが実装される面とは反対面に当接する、請求項１〜３のいずれか一項に記載のＵＳＢコンセント。
【請求項５】
前記第１プリント配線板を収納するハウジングをさらに備え、
前記ハウジングは、
前記ＵＳＢソケットに接続されるＵＳＢプラグが挿通するプラグ挿通穴を有するカバーと、
前記カバーに結合するボディと、を有し、
前記ボディは、前記ＵＳＢプラグを前記ＵＳＢソケットに挿入する挿入方向とは反対方向に突設される支持凸部を有し、
前記支持凸部は、前記第１プリント配線板を支持可能である、請求項１〜４のいずれか一項に記載のＵＳＢコンセント。
【請求項６】
前記支持凸部は、２つ設けられており、
前記２つの支持凸部のそれぞれは、前記ボディの前記挿入方向とは直交する方向の両端部から突設される、請求項５に記載のＵＳＢコンセント。
【請求項７】
前記支持凸部は、２つ設けられており、
前記ボディは、前記挿入方向に直交する方向に対向する２つの壁を有し、
前記２つの支持凸部のそれぞれは、前記２つの壁のそれぞれの前記カバー側の端面から突設される、請求項５に記載のＵＳＢコンセント。
【請求項８】
前記支持凸部は、前記第１プリント配線板の前記ＵＳＢソケットが実装された面とは反対面に当接する、請求項５〜７のいずれか一項に記載のＵＳＢコンセント。
【請求項９】
前記第１プリント配線板は、前記カバー内に配置される、請求項５〜８のいずれか一項に記載のＵＳＢコンセント。
【請求項１０】
前記第１プリント配線板および前記第２プリント配線板を収納するハウジングをさらに備え、
前記ハウジングは、
前記ＵＳＢソケットに接続されるＵＳＢプラグが挿通するプラグ挿通穴を有するカバーと、
前記カバーに結合するボディと、を有し、
前記第１プリント配線板は、前記カバー内に配置され、
前記第２プリント配線板は、前記ボディ内に配置される、請求項２または３に記載のＵＳＢコンセント。
【発明の詳細な説明】
【技術分野】
【０００１】
本発明は、ＵＳＢコンセントに関するものである。
【背景技術】
【０００２】
従来から、ＵＳＢプラグが挿入接続されるＵＳＢソケットを有するＵＳＢコンセントが提供されている（例えば、特許文献１参照）。
【０００３】
この種のＵＳＢコンセントとして、上記のＵＳＢソケットが実装されたプリント配線板と、上記のＵＳＢプラグが挿通されるプラグ挿通穴を有して上記のプリント配線板を収納するハウジングとを備えるものがある。ＵＳＢソケットは、ＵＳＢプラグの挿抜方向がプリント配線板の厚さ方向となるような向きで実装される。
【先行技術文献】
【特許文献】
【０００４】
【特許文献１】特開２０１１−８２８０２号公報
【発明の概要】
【発明が解決しようとする課題】
【０００５】
上記のＵＳＢコンセントでは、ＵＳＢソケットがＵＳＢプラグから押力を受けることで、プリント配線板に曲げ変形が生じる可能性があった。そして、プリント配線板の塑性変形（曲がり）が、ＵＳＢプラグの挿抜の繰り返しを経て進行した場合、やがては、ＵＳＢプラグの挿抜時に引っかかりが生じるなどの不具合が発生する可能性がある。
【０００６】
本発明は、上記事由に鑑みて為されたものであり、その目的は、プリント配線板の曲がりが抑えられるＵＳＢコンセントを提供することにある。
【課題を解決するための手段】
【０００７】
本発明のＵＳＢコンセントは、ＵＳＢソケットが実装される第１プリント配線板と、前記第１プリント配線板の中央部に当接する当接部と、を備える。
【発明の効果】
【０００８】
本発明によれば、当接部が設けられない場合に比べ、ＵＳＢプラグが接続される際のプリント配線板の曲がりが抑えられる。
【図面の簡単な説明】
【０００９】
【図１】本発明の実施形態を示す断面図である。
【図２】（ａ）（ｂ）はそれぞれ同上を示す一部破断した斜視図であり、（ａ）（ｂ）はそれぞれ異なる位置で破断し互いに逆方向から見た状態を示す。
【図３】（ａ）（ｂ）はそれぞれ同上を示す一部破断した分解斜視図であり、（ａ）（ｂ）はそれぞれ異なる位置で破断し互いに逆方向から見た状態を示す。
【図４】同上において第２プリント配線板がボディに組みつけられた状態を示す分解斜視図である。
【図５】同上を示す分解斜視図である。
【図６】同上を示す斜視図である。
【図７】同上を示す一部破断した分解斜視図である。
【図８】同上に取付枠が取り付けられた状態を示す斜視図である。
【図９】同上と取付枠とを示す分解斜視図である。
【図１０】同上のボディを示す平面図である。
【図１１】同上のカバーを示す底面図である。
【発明を実施するための形態】
【００１０】
以下、本発明を実施するための最良の形態について、図面を参照しながら説明する。
【００１１】
本実施形態は、図１〜図９に示すように、ＵＳＢソケット１が実装されたプリント配線板（以下、「第１プリント配線板」と呼ぶ。）２と、ＵＳＢソケット１に接続されるＵＳＢプラグ（図示せず）が挿通されるプラグ挿通穴３０を有してプリント配線板２を収納するハウジング３とを備える。ＵＳＢソケット１は、ＵＳＢプラグが挿抜される方向を第１プリント配線板２の厚さ方向に向けて第１プリント配線板２に実装されている。
【００１２】
以下、図４のＡＢＣＤＥＦ方向を、それぞれ、上下左右前後方向と呼ぶ。すなわち、ＵＳＢソケット１においてＵＳＢプラグが挿入される開口が向けられた方向（図４でのＡ方向）を上方向と呼ぶ。また、ＵＳＢソケット１の長手方向（上記の上方向から見た長手方向であり、図４でのＣＤ方向）を左右方向と呼ぶ。さらに、ＵＳＢソケット１の短手方向（上記の上方向から見た短手方向であり、図４でのＥＦ方向）を前後方向と呼ぶ。なお、上記の方向はあくまで説明の便宜上定義するものであって、通常の使用状態では上記の前後方向が上下方向に向けられる。
【００１３】
さらに、本実施形態は、外部の交流電源から入力された交流電力を所定電圧の直流電力に変換してＵＳＢソケット１を介して上記のＵＳＢプラグに出力するＡＣ−ＤＣコンバータを備える。上記のようなＡＣ−ＤＣコンバータは周知技術で実現可能であるので、詳細な図示並びに説明は省略する。上記のＡＣ−ＤＣコンバータを構成する回路部品は、上記の第１プリント配線板２と、第１プリント配線板２の下側に対向する形でハウジング３内に収納及び保持される第２プリント配線板４とに分けて実装されている。第１プリント配線板２と第２プリント配線板４とは例えば導電ピンのような適宜の導電路４０を介して互いに電気的に接続されている。
【００１４】
また、ハウジング３は、各プリント配線板２，４をそれぞれ厚さ方向（上下方向）において挟む形で互いに結合するボディ５とカバー６とを備える。
【００１５】
ボディ５の前後両端面には、それぞれ２個ずつの結合凸部５１が左右に並べて前後方向の外向きに突設されている。また、カバー６の前後両端部には、それぞれ、前後方向においてボディ５を挟む２個ずつの結合片６１が下方に突設されている。各結合片６１にはそれぞれ前後方向に貫通した貫通穴である結合穴６１０が設けられており、各結合穴６１０にそれぞれ結合凸部５１が係入することで、ボディ５とカバー６とは互いに結合する。
【００１６】
ハウジング３は、図８及び図９に示す取付枠７を用いて、壁面等の施工面（図示せず）に固定される。取付枠７は矩形状の窓穴７１を有する矩形枠状である。窓穴７１の長手方向における取付枠７の両端部には、角丸長方形状であって施工面に埋めこまれた埋込ボックスに螺合するボックスねじを挿入するためのボックス用穴７２が１個ずつ設けられている。また、窓穴７１の短手方向においてボックス用穴７２を挟む両側には、施工面がパネル材で形成されているときに取付枠７との間でパネル材を挟みこむための挟み金具（図示せず）を引掛け係止するための引掛穴７３が貫設されている。さらに、窓穴７１との間に１個ずつの引掛穴７３を挟む４箇所には、それぞれ施工面に螺合する直付け用ねじを挿入するための円形状の直付け用穴７４が貫設されている。窓穴７１の短手方向の両端縁にはそれぞれ保持片７５が突設されており、各保持片７５にはそれぞれ３対ずつ取付穴７６が長手方向に沿って並ぶように設けられている。ハウジング３の前後両面には、それぞれ取付穴７６に係入する取付凸部３１が２対ずつ設けられている。すなわち、各取付凸部３１がそれぞれ取付穴７６に係入することで、ハウジング３は取付枠７に結合する。
【００１７】
また、ボディ５は上方に開口した収納凹部５０を有し、第２プリント配線板４は収納凹部５０に収納される。さらに、図２，図３及び図１０に示すように、収納凹部５０において左右に対向する内面の上端には、それぞれ、上方に解放された２個ずつの係合凹部５２が設けられている。第２プリント配線板４の左右両端部にはそれぞれ２個ずつの係合凸部４１が前後に並べて左右方向の外向きに突設されている。第２プリント配線板４は、各係合凸部４１がそれぞれ係合凹部５２の内面に当接することで下方や前後方向への位置ずれを防止される。言い換えると、第２プリント配線板４は各係合凸部４１においてボディ５に支持されている。また、図２，図３及び図１１に示すように、カバー６の左右両端部には、それぞれ係合凹部５２に挿入される２個ずつの係合凸部６２が、前後に並べて下方へ突設されている。カバー６の各係合凸部６２は、それぞれ、係合凹部５２の上向きの内面との間に第２プリント配線板４の係合凸部４１を挟む。
【００１８】
ここで、右側の係合凹部５２間の距離Ｗ１は、左側の係合凹部５２間の距離Ｗ２よりも小さくされている。また、右側の係合凸部６２間の距離は右側の係合凹部５２間の距離Ｗ１とほぼ等しくされ、左側の係合凸部６２間の距離は左側の係合凹部５２間の距離Ｗ２とほぼ等しくされている。従って、組立時、仮に、作業者が、第２プリント配線板４やカバー６を、正しい向きに対して上下方向（すなわち第２プリント配線板４の厚さ方向）に平行な軸周りに１８０°回転した誤った向きでボディ５に取り付けようとした場合、係合凸部４１，６２を係合凹部５２に係合させることができない。これにより、上記のような誤った向きでの取り付けが防止される。
【００１９】
さらに、ボディ５の下面には２個の電線挿入穴３２が設けられていて、第２プリント配線板４の下面には、電線挿入穴３２から挿入された電線（図示せず）が接続される端子８が実装されている。端子８は、電線挿入穴３２から挿入された電線を鎖錠する鎖錠ばね（図示せず）を電線挿入穴３２に一対一に対応して２個有する、いわゆる速結端子である。また、端子８は、下方から押圧されたときに各鎖錠ばねをそれぞれ押圧することで鎖錠を解除する解除釦８１を有する。ボディ５の下面には、解除釦８１を下方に露出させる解除穴３３（図１０参照）が設けられており、例えばマイナスドライバのような治具（図示せず）を解除穴３３に挿入することで解除釦８１を押操作することができる。
【００２０】
また、ボディ５は、収納凹部５０を、端子８が収納される端子収納部５０１と、その他の回路部品が収納される回路収納部５０２とに仕切る仕切り壁５４を有する。各電線挿入穴３２と解除穴３３とはそれぞれ端子収納部５０１の底面に開口している。
【００２１】
さらに、ボディ５の左右両端部には、それぞれ、第１プリント配線板２を支持する（つまり、第１プリント配線板２においてＵＳＢソケット１が実装された面の反対面である下面に当接する）支持凸部５３が上方へ突設されている。各支持凸部５３の上端には、それぞれ左右方向に解放された支持凹部５３０が設けられている。さらに、第１プリント配線板２の左右両端部において上方から見てＵＳＢソケット１を長手方向（左右方向）において挟む両側には、それぞれ脚部２１が左右方向の外向きに突設されている。第１プリント配線板２は、各脚部２１がそれぞれ支持凹部５３０に収納されることで、前後方向や下方への位置ずれを防止される。言い換えると、第１プリント配線板２は脚部２１においてボディ５の支持凸部５３に支持されている。
【００２２】
また、仕切り壁５４の上端には、第２プリント配線板４に設けられた挿通穴４２に挿通されて第１プリント配線板２の下面の中央部（すなわちＵＳＢソケット１の近傍）に当接する当接部５５が設けられている。すなわち、ＵＳＢプラグがＵＳＢソケット１に接続される際には、当接部５５が第１プリント配線板２に当接することで、第１プリント配線板２の中央部を脚部２１に対して下方に変位させるような第１プリント配線板２の曲がり（変形）が抑えられる。
【００２３】
上記構成によれば、当接部５５が設けられない場合に比べ、ＵＳＢプラグが接続される際の第１プリント配線板２の曲がりが抑えられる。
【符号の説明】
【００２４】
１  ＵＳＢソケット
２  第１プリント配線板
３  ハウジング
３０  プラグ挿通穴
５５  当接部
【図１】
2020113790.tif 000003
【図２】
2020113790.tif 000004
【図３】
2020113790.tif 000005
【図４】
2020113790.tif 000006
【図５】
2020113790.tif 000007
【図６】
2020113790.tif 000008
【図７】
2020113790.tif 000009
【図８】
2020113790.tif 000010
【図９】
2020113790.tif 000011
【図１０】
2020113790.tif 000012
【図１１】
2020113790.tif 000013
【手続補正書】
【提出日】令和2年5月21日(2020.5.21)
【手続補正１】
【補正対象書類名】特許請求の範囲
【補正対象項目名】全文
【補正方法】変更
【補正の内容】
【特許請求の範囲】
【請求項１】
ＵＳＢソケットが実装される第１プリント配線板と、
前記第１プリント配線板の中央部に当接する当接部と、を備え、
前記当接部は、前記第１プリント配線板の前記ＵＳＢソケットが実装される面とは反対面に当接する、ＵＳＢコンセント。
【請求項２】
ＵＳＢソケットが実装される第１プリント配線板と、
前記第１プリント配線板の前記ＵＳＢソケットが実装される面とは反対面側に配置され、挿通穴が設けられる第２プリント配線板と、
前記第１プリント配線板に当接する当接部と、を備え、
前記当接部は、前記第１プリント配線板の前記ＵＳＢソケットが実装される面とは反対面に当接し、
前記当接部は前記挿通穴に挿通される、ＵＳＢコンセント。
【請求項３】
前記第１プリント配線板の前記ＵＳＢソケットが実装される面とは反対面側に配置される第２プリント配線板をさらに備える、請求項１に記載のＵＳＢコンセント。
【請求項４】
前記挿通穴は、前記第２プリント配線板の外周部によって囲まれた部位に配置される、請求項２に記載のＵＳＢコンセント。
【請求項５】
前記第１プリント配線板を収納するハウジングをさらに備え、
前記ハウジングは、
前記ＵＳＢソケットに接続されるＵＳＢプラグが挿通するプラグ挿通穴を有するカバーと、
前記カバーに結合するボディと、を有し、
前記ボディは、前記ＵＳＢプラグを前記ＵＳＢソケットに挿入する挿入方向とは反対方向に突設される支持凸部を有し、
前記支持凸部は、前記第１プリント配線板を支持可能である、請求項１〜４のいずれか一項に記載のＵＳＢコンセント。
【請求項６】
前記支持凸部は、２つ設けられており、
前記２つの支持凸部のそれぞれは、前記ボディの前記挿入方向とは直交する方向の両端部から突設される、請求項５に記載のＵＳＢコンセント。
【請求項７】
前記支持凸部は、２つ設けられており、
前記ボディは、前記挿入方向に直交する方向に対向する２つの壁を有し、
前記２つの支持凸部のそれぞれは、前記２つの壁のそれぞれの前記カバー側の端面から突設される、請求項５に記載のＵＳＢコンセント。
【請求項８】
前記当接部は、前記２つの支持凸部の間に配置される、請求項６または７に記載のＵＳＢコンセント。
【請求項９】
前記支持凸部は、前記第１プリント配線板の前記ＵＳＢソケットが実装された面とは反対面に当接する、請求項５〜８のいずれか一項に記載のＵＳＢコンセント。
【請求項１０】
前記第１プリント配線板は、前記カバー内に配置される、請求項５〜９のいずれか一項に記載のＵＳＢコンセント。
【請求項１１】
前記第１プリント配線板および前記第２プリント配線板を収納するハウジングをさらに備え、
前記ハウジングは、
前記ＵＳＢソケットに接続されるＵＳＢプラグが挿通するプラグ挿通穴を有するカバーと、
前記カバーに結合するボディと、を有し、
前記第１プリント配線板は、前記カバー内に配置され、
前記第２プリント配線板は、前記ボディ内に配置される、請求項２〜４のいずれか一項に記載のＵＳＢコンセント。
【手続補正２】
【補正対象書類名】明細書
【補正対象項目名】０００７
【補正方法】変更
【補正の内容】
【０００７】
本発明のＵＳＢコンセントは、ＵＳＢソケットが実装される第１プリント配線板と、前記第１プリント配線板の中央部に当接する当接部と、を備え、前記当接部は、前記第１プリント配線板の前記ＵＳＢソケットが実装される面とは反対面に当接する。